(57)【要約】【課題】撮影者が撮影時における自分の感情（嬉しい等）を再生画像に反映させることを可能にする。【解決手段】撮影者は感情選択スイッチＳＷにおいて自己の感情（嬉しい、悲しい等）を設定する。撮像装置１００は、グリップ温度センサＳ１とグリップ湿度センサＳ２とグリップ圧力センサＳ３から撮影者の感情基本データを取得する。撮像装置１００は、外気温度センサＳ４と外気湿度センサＳ５と位置センサＳ６から撮像時の環境データを取得する。感情基本データと環境データから感情データと感情反映パラメータを得て、感情選択スイッチの設定に応じてデータベース１０７に蓄積する。撮影時に、蓄積したデータに基づいて画像処理を行い、撮影者の感情反映画像を得る。データベースに一般人の標準的な感情データを格納してもよい。【選択図】  図１
2005250977.tif 000002
【特許請求の範囲】
【請求項１】
被写体を撮像する撮像装置において、
前記被写体を撮影するとき、撮影者の感情を検出する感情検出手段と、
前記感情検出手段が検出した前記感情を、撮像した画像に反映する処理を行う感情反映手段と
を備えたことを特徴とする撮像装置。
【請求項２】
請求項１記載の撮像装置において、
前記感情検出手段は、
前記撮影者の体温と発汗状態の内の少なくとも一つを検出して感情基本データを取得する感情センサと、
前記撮影者が置かれている外部環境のうち、外気温度と外気湿度と位置の内の少なくとも一つを検出して環境データを取得する環境センサと
を備えていることを特徴とする撮像装置。
【請求項３】
請求項２記載の撮像装置において、
前記感情基本データと前記環境データとに基づいて、感情データを求める感情データ演算手段と、
前記感情データに基づいて、感情反映パラメータを求める感情反映パラメータ演算手段と
を備えていることを特徴とする撮像装置。
【請求項４】
請求項３記載の撮像装置において、
前記感情基本データと前記環境データと前記感情データと前記感情反映パラメータの内の少なくとも一つを、撮像した画像の付加データとし、一つのファイル構成とすることを特徴とする撮像装置。
【請求項５】
請求項４記載の撮像装置において、
前記撮影者の感情を選択する感情選択スイッチと、
前記感情選択スイッチの設定状態別及び前記撮影者別に、前記ファイルを格納するデータベースと
を設けたことを特徴とする撮像装置。
【請求項６】
請求項５記載の撮像装置において、
着脱自在なメモリカードを設け、前記感情選択スイッチの設定状態別及び前記撮影者別に、前記ファイルを前記メモリカードに格納することを特徴とする撮像装置。
【請求項７】
請求項５記載の撮像装置において、
通信部を設け、前記感情選択スイッチの設定状態別及び前記撮影者別に、前記ファイルを前記通信部から外部に送信することを特徴とする撮像装置。
【請求項８】
請求項５記載の撮像装置において、
前記感情反映手段は、
前記感情選択スイッチの設定状態に応じて、前記データベースに蓄積された前記撮影者個人のデータの平均値あるいは重み付け値を読み出し、読み出した前記データの平均値あるいは重み付け値に基づいて、前記撮像した画像に感情を反映する処理を行うことを特徴とする撮像装置。
【請求項９】
メモリカードに格納された画像と前記画像に感情を反映させる付加データとから構成されるファイルを読み取るカードリーダ、又は外部から送信される画像と前記画像に感情を反映させる付加データから構成されるファイルを受信する通信部の少なくとも一方を備え、
かつ、前記メモリカードから読み出した画像と付加データ、又は前記受信した画像と付加データとに基づいて、前記画像に感情を反映させる感情反映手段と、
前記感情反映手段によって処理された画像を表示するモニタと
を備えたことを特徴とする画像再生装置。
【請求項１０】
請求項９記載の画像再生装置において、
前記感情反映手段は、前記画像に感情を反映させる付加データを変化させ、感情が微妙に異なる複数の画像をモニタに表示することを特徴とする画像再生装置。
【請求項１１】
請求項９記載の画像再生装置において、
記録部を設け、前記ファイルを前記記録部に格納することを特徴とする画像再生装置。
【請求項１２】
メモリカードに格納された画像と前記画像に感情を反映させる付加データとから構成されるファイルを読み取るカードリーダ、又は外部から送信される画像と前記画像に感情を反映させる付加データから構成されるファイルを受信する通信部の少なくとも一方を備え、
かつ、前記メモリカードから読み出した画像と付加データ、又は前記受信した画像と付加データとに基づいて、前記画像に感情を反映させる感情反映手段と、
前記感情反映手段によって処理された画像を表示するモニタと、
前記メモリカードから読み出した付加データと前記受信した付加データとは、前記画像を撮影したときの環境を表す環境データを含み、前記環境データに基づいて画像を撮影したときの環境を再現する空調手段と
を備えたことを特徴とする画像鑑賞室。
【請求項１３】
請求項１２記載の画像鑑賞室において、
前記通信部が、前記空調手段に設けられていることを特徴とする画像鑑賞室。
【請求項１４】
外部から送信される画像と前記画像に感情を反映させる付加データから構成されるファイルを受信する通信部と、
前記通信部が受信したファイルを個人別に蓄積する個人別データベースと、
前記個人別データベースに蓄積されたファイル内の付加データの個人別の平均値、及び全ての撮影者の付加データの平均値を解析する解析手段と
を備えたことを特徴とするデータ蓄積／解析装置。
【請求項１５】
請求項１４に記載のデータ蓄積／解析装置において、
前記通信部は、前記解析手段が解析した付加データの個人別の平均値、及び全ての人の平均値を送信することを特徴とするデータ蓄積／解析装置。
【請求項１６】
被写体を撮像する銀塩カメラにおいて、
撮影者の感情を選択する感情選択スイッチと、
撮影者の感情を検出する感情検出手段と、
検出された前記撮影者の感情をデータとして格納する着脱自在なメモリカードと
を備えたことを特徴とする銀塩カメラ。
【請求項１７】
フィルム画像を読み取るスキャナにおいて、
メモリカードに格納されている画像に感情を反映するための付加データを読み取るカードリーダと、
前記フィルム画像を読み取るとき、前記付加データに基づいて、前記読み取り画像に感情を反映させて読み取る読取手段と
を備えたことを特徴とするスキャナ。
【請求項１８】
フィルム画像を読み取るスキャナにおいて、
メモリカードに格納されている画像に感情を反映するための付加データを読み取るカードリーダと、
前記フィルム画像を読み取るとき、前記カードリーダから読み取った前記付加データに基づいて、前記フィルム画像に感情を反映するための感情反映パラメータを求める感情反映パラメータ演算手段と
を備えていることを特徴とするスキャナ。
【発明の詳細な説明】
【技術分野】
【０００１】
本発明は、撮影者の感情（嬉しい、悲しい、楽しい等）を撮影した画像に反映して再生するのに好適な撮影装置、画像再生装置、画像鑑賞室、データ蓄積／解析装置、銀塩カメラ、スキャナに関する。
【背景技術】
【０００２】
従来技術において、撮影者の感情ではなく、被写体である人物の感情を画像に反映するものとして、次のような技術がある。すなわち、テレビ会議において、あらかじめ基本となる被写体の顔の画像を送信側システムに格納しておき、かつ、カメラで撮像された被写体の顔の画像を画像認識する。次に、送信側システムにあらかじめ格納されている基本の画像とカメラで撮像された画像とを比較し、その変化に基づいて、被写体の感情を抽出する。次に、送信側システムは、抽出された感情に対応する感情信号を、あらかじめ格納されている複数の感情信号の中から選択し、受信側システムに送信する。受信側システムでは、受信した被写体の感情信号に基づいて、あらかじめ格納されている複数の感情を反映した画像から被写体の画像を選択して表示する（特許文献１参照）。
【０００３】
また、他の従来技術としては、電子ファイルシステムにおいて、データ作成時におけるデータ作成者の五感情報を副データとして記録する技術がある。ただし、ここで言う五感情報とは、温度センサ、湿度センサ、光センサ（照度センサ）、カラーセンサ等により、自動的に検知できる情報（主として環境情報、温度、湿度、明るさ）である（特許文献２参照）。
【特許文献１】特開平０９−１３８７６７号公報（段落番号００１１、００３２、００４９）
【特許文献２】特開平０５−３０３５９６号公報（段落番号００２７、００６９）
【発明の開示】
【発明が解決しようとする課題】
【０００４】
従来技術においては、撮影者の撮影時における感情を、撮影した画像に反映させるという技術は存在しなかった。
本発明の目的は、撮影者が撮影時における自分の感情（嬉しい、悲しい、楽しい、怒っている、おびえている、寒い、暑い、心地よい、苦しい、めげている等）を撮影した画像に反映させることを可能にする撮影装置、画像再生装置、画像鑑賞室、データ蓄積／解析装置、銀塩カメラ、スキャナを提供することにある。
【課題を解決するための手段】
【０００５】
請求項１に記載の撮像装置は、被写体を撮像する撮像装置において、被写体を撮影するとき、撮影者の感情を検出する感情検出手段と、感情検出手段が検出した感情を、撮影した画像に反映する処理を行う感情反映手段とを備えたことを特徴とする。
請求項２に記載の撮像装置は、請求項１記載の撮像装置において、感情検出手段は、撮影者の体温と発汗状態の内の少なくとも一つを検出して感情基本データを取得する感情センサと、撮影者が置かれている外部環境のうち、外気温度と外気湿度と位置の内の少なくとも一つを検出して環境データを取得する環境センサとを備えていることを特徴とする。
【０００６】
請求項３に記載の撮像装置は、請求項２記載の撮像装置において、感情基本データと環境データとに基づいて、感情データを求める感情データ演算手段と、感情データに基づいて、感情反映パラメータを求める感情反映パラメータ演算手段とを備えていることを特徴とする。
請求項４に記載の撮像装置は、請求項３記載の撮像装置において、感情基本データと環境データと感情データと感情反映パラメータの内の少なくとも一つを、撮影した画像の付加データとし、一つのファイル構成とすることを特徴とする。
【０００７】
請求項５に記載の撮像装置は、請求項４記載の撮像装置において、撮影者の感情を選択する感情選択スイッチと、感情選択スイッチの設定状態別及び前記撮影者別に、ファイルを格納するデータベースを設けたことを特徴とする。
請求項６に記載の撮像装置は、請求項５記載の撮像装置において、着脱自在なメモリカードを設け、感情選択スイッチの設定状態別及び前記撮影者別に、ファイルをメモリカードに格納することを特徴とする。
【０００８】
請求項７に記載の撮像装置は、請求項５記載の撮像装置において、通信部を設け、感情選択スイッチの設定状態別及び撮影者別に、ファイルを通信部から外部に送信することを特徴とする。
請求項８に記載の撮像装置は、請求項５記載の撮像装置において、感情反映手段は、前記感情選択スイッチの設定状態に応じて、データベースに蓄積された撮影者個人のデータの平均値あるいは重み付け値を読み出し、読み出したデータの平均値あるいは重み付け値に基づいて、撮影した画像に感情を反映する処理を行うことを特徴とする。
【０００９】
請求項９に記載の画像再生装置は、メモリカードに格納された画像と画像に感情を反映させる付加データとから構成されるファイルを読み取るカードリーダ、又は外部から送信される画像と画像に感情を反映させる付加データから構成されるファイルを受信する通信部の少なくとも一方を備え、かつ、メモリカードから読み出した画像と付加データ、又は受信した画像と付加データとに基づいて、画像に感情を反映させる感情反映手段と、感情反映手段によって処理された画像を表示するモニタとを備えたことを特徴とする。
【００１０】
請求項１０記載の画像再生装置は、請求項９記載の画像再生装置において、感情反映手段は、画像に感情を反映させる付加データを変化させ、感情が微妙に異なる複数の画像をモニタに表示することを特徴とする。
請求項１１記載の画像再生装置は、請求項９記載の画像再生装置において、記録部を設け、ファイルを記録部に格納することを特徴とする。
【００１１】
請求項１２記載の画像鑑賞室は、メモリカードに格納された画像と画像に感情を反映させる付加データとから構成されるファイルを読み取るカードリーダ、又は外部から送信される画像と画像に感情を反映させる付加データとから構成されるファイルを受信する通信部の少なくとも一方を備え、かつ、メモリカードから読み出した画像と付加データ、又は受信した画像と付加データとに基づいて、画像に感情を反映させる感情反映手段と、感情反映手段によって処理された画像を表示するモニタと、メモリカードから読み出した付加データと受信した付加データとは、画像を撮影したときの環境を表す環境データを含み、環境データに基づいて画像を撮影したときの環境を再現する空調手段とを備えたことを特徴とする。
【００１２】
請求項１３記載の画像鑑賞室は、請求項１２記載の画像鑑賞室において、通信部が、空調手段に設けられていることを特徴とする。
請求項１４記載のデータ蓄積／解析装置は、外部から送信される画像と画像に感情を反映させる付加データから構成されるファイルを受信する通信部と、通信部が受信したファイルを個人別に蓄積する個人別データベースと、個人別データベースに蓄積されたファイル内の付加データの個人別の平均値、及び全ての撮影者の付加データの平均値を解析する解析手段とを備えたことを特徴とする。
【００１３】
請求項１５記載のデータ蓄積／解析装置は、請求項１４に記載のデータ蓄積／解析装置において、通信部は、解析手段が解析した付加データの個人別の平均値、及び全ての人の平均値を送信することを特徴とする。
請求項１６記載の銀塩カメラは、被写体を撮像する銀塩カメラにおいて、撮影者の感情を選択する感情選択スイッチと、撮影者の感情を検出する感情検出手段と、検出された撮影者の感情をデータとして格納する着脱自在なメモリカードとを備えたことを特徴とする。
【００１４】
請求項１７記載のスキャナは、フィルム画像を読み取るスキャナにおいて、メモリカードに格納されている画像に感情を反映するための付加データを読み取るカードリーダと、
フィルム画像を読み取るとき、付加データに基づいて、読み取り画像に感情を反映させて読み取る読取手段とを備えたことを特徴とする。
請求項１８記載のスキャナは、フィルム画像を読み取るスキャナにおいて、メモリカードに格納されている画像に感情を反映するための付加データを読み取るカードリーダと、フィルム画像を読み取るとき、カードリーダから読み取った付加データに基づいて、フィルム画像に感情を反映するための感情反映パラメータを求める感情反映パラメータ演算手段とを備えていることを特徴とする。
【発明の効果】
【００１５】
請求項１〜８に記載の撮像装置によれば、撮影者の撮影時における感情を、撮影した画像に反映させることを可能にする撮像装置を提供することができる。
請求項１０〜１１に記載の発明によれば、撮影者の撮影時における感情を、画像に反映することを可能にする画像再生装置（パーソナルコンピュータ等）を提供することができる。
【００１６】
請求項１４、１５に記載の発明によれば、データベースに多数の個人別の感情を反映させるデータを蓄積することができるのでの、個人別のデータの平均値、全ての撮影者のデータの平均値を得ることができる。これにより、撮像装置のデータベース内に個人別のデータの平均値と全ての撮影者のデータの平均値を格納することができ、撮像者は撮像装置の感情選択スイッチを選択するだけで、自己の感情を画像に反映したり、一般人の標準的な感情を画像に反映することができる。また、撮像装置の買い替え時に、個人別のデータを通信等により新たな撮像装置のデータベース内に格納することにより、新たな撮像装置に個人別データを蓄積する必要がなくなる。
【００１７】
請求項１６に記載の銀塩カメラによれば、銀塩カメラにおいても、撮影時の撮影者の感情を検出することができる。
請求項１７、１８に記載のスキャナによれば、銀塩カメラで撮像したフィルム画像を読み取るとき、感情を反映させた画像に補正することができる。
以上に説明したように、本発明によれば、撮影者の撮影時における感情を、撮影した画像に反映させることを可能にする撮影装置、画像再生装置、画像鑑賞室、データ蓄積／解析装置、銀塩カメラ、スキャナを提供することができる。
【発明を実施するための最良の形態】
【００１８】
以下、本発明の実施形態について説明する。
＜第１の実施形態＞
図１〜図４は、本発明の第１の実施形態を示すブロック図である。図１は、本実施形態における撮像装置１００の一例を示すブロック図である。図２は、図１に示す撮像装置１００で撮像した画像を再生する画像再生装置２００の一例を示すブロック図である。図３は、図１に示す撮像装置１００で撮像した画像を再生する際、室内環境を撮影環境に近い状態に設定して画像を再生する画像鑑賞室３００の一例を示すブロック図である。図４は、撮像装置１００から送信された撮影者の感情を表すデータや画像を個人別に蓄積するデータベースを有するデータ蓄積／解析装置４００の一例を示すブロック図である。
【００１９】
第１の実施形態は、請求項１〜１５に対応する。
まず、図１に示す撮像装置１００について説明する。なお、撮像装置１００において、感情表現モードと一般モードが設定可能であり、以下の説明では感情表現モードがあらかじめ設定されていることを前提とする。
図１に示す撮像装置１００は、撮像レンズ１０１と、撮像部（ＣＣＤ、ＣＭＯＳ等）１０２と、Ａ／Ｄ変換部１０３と、ＣＰＵ１０４と、メモリカード１０５と、通信部１０６と、データベース１０７と、感情選択スイッチＳＷと、グリップ温度センサＳ１と、グリップ湿度センサＳ２と、グリップ圧力センサＳ３と、外気温度センサＳ４と、外気湿度センサＳ５と、位置センサ（例えば、ＧＰＳ）Ｓ６から構成されている。
【００２０】
感情選択スイッチＳＷは、撮影者が自ら設定するスイッチである。具体的には、例えば、「嬉しい」「悲しい」「楽しい」「怒っている」「おびえている」「寒い」「暑い」「心地よい」「苦しい」「めげている」等の撮像者の感情を、回転するスイッチ上に言葉や絵文字等で表現し、撮影者の感情に合致する位置まで回転させて設定する（図示せず）。また、液晶画面に感情選択スイッチＳＷを表示し、液晶画面上で撮影者の感情に合うものを選択するようにしてもよい（図示せず）。感情選択スイッチＳＷは、前記したものに限らず、感情を選択できる構造を備えていれば、どんなものでもよい。
【００２１】
グリップ温度センサＳ１は、撮影者がグリップを握っているときのグリップ温度を検出するセンサである。これは、撮影者の体温をチェックする役割を有する。グリップ湿度センサＳ２は、撮影者がグリップを握っているときのグリップ湿度を検出するセンサである。これは、撮影者の発汗状態をチェックする役割を有する。グリップ圧力センサＳ３は、撮影者がグリップを握っているときの握り圧力を検出する役割を有する。
【００２２】
ここで、グリップ湿度センサＳ２は、例えば、グリップに電極を２つ設け、水分（発汗）による抵抗変化を検出してグリップの湿度を検出する。また、グリップ圧力センサＳ３は、変位状態に応じて抵抗が変化する感圧導電性ゴムを用いてグリップ圧力を検出する。
外気温度センサＳ４は、撮影時における外気温度を検出するセンサである。外気湿度センサＳ５は、撮影時における外気湿度を検出するセンサである。位置センサＳ６は、撮影位置を検出するセンサ（例えば、ＧＰＳ）である。
【００２３】
グリップ温度センサＳ１とグリップ湿度センサＳ２とグリップ圧力センサＳ３は、撮影者個人の感情を検出するのに必要な感情基本データである。これに対して、外気温度センサＳ４と外気湿度センサＳ５と位置センサＳ６は、撮影時における周囲の環境を示す環境データである。
環境データが必要な理由は、次の通りである。例えば、撮影者は興奮状態ではないが、周囲温度が高いと発汗する。そのため、グリップ湿度センサＳ２は高い湿度を検出する。これでは、撮影者の感情を正しく検出できない。雨が降っている野外で撮影する場合も同様のことが言える。また、撮影者の体温についても、同じようなことが言える。そこで、環境データを用いて、感情基本データを補正するのである。
【００２４】
また、位置センサＳ６は、例えば、山登りをしていて頂上に着いたときや観光地にいるときには、撮影者に、「嬉しい」、「楽しい」という感情が大いに芽生える。したがって、撮影位置に応じて、撮影者の感情基本データを補正するために大いに役立つ。
ここで、請求項に記載する感情検出手段は、グリップ温度センサＳ１とグリップ湿度センサＳ２とグリップ圧力センサＳ３と外気温度センサＳ４と外気湿度センサＳ５と位置センサＳ６が対応する。このうち、請求項に記載する感情センサは、グリップ温度センサＳ１とグリップ湿度センサＳ２とグリップ圧力センサＳ３が対応する。また、請求項に記載する環境センサは、外気温度センサＳ４と外気湿度センサＳ５と位置センサＳ６が対応する。請求項に記載する感情反映手段は、ＣＰＵ１０４とデータベース１０７等が対応する。請求項に記載する環境データ演算手段、感情反映パーソナル演算手段はＣＰＵ１０４が対応する。
【００２５】
なお、以後の説明では、感情基本データを環境データで補正したものを感情データと称する。したがって、感情基本データと感情データは区別して用いる。
図１において、被写体（図示せず）を捕らえた光は、撮像レンズ１０１によって撮像部１０２上で結像する。撮像部（ＣＣＤやＣＭＯＳ）１０２は、これをアナログ電気信号に変換して出力する。Ａ／Ｄ変換部１０３は、入力されるアナログ電気信号をデジタル電気信号（以下、デジタル信号と称する）に変換して、ＣＰＵ１０４に出力する。
【００２６】
ＣＰＵ１０４は、グリップ温度センサＳ１とグリップ湿度センサＳ２とグリップ圧力センサＳ３とから得られる撮影時における感情基本データと、外気温度センサＳ４と外気湿度センサＳ５と位置センサＳ６とから得られる撮影時における環境データとに基づいて、感情データを求める。
次に、ＣＰＵ１０４は、感情データに基づいて感情反映パラメータを求める。感情反映パラメータとは、ルックアップテーブル（ＬＵＴ）やコントラスト等をどのよう変更したかを示すパラメータである。この感情反映パラメータに基づいて、撮像された画像の明暗、コントラスト、色バランス、彩度、輪郭強調、ぼかし等を、図示しないルックアップテーブルや画像処理により変化させる。その結果、撮影者の感情が画像に反映され、その画像は図示しない液晶画面に表示される。
【００２７】
図５は、「嬉しい」「悲しい」「寒い」「暑い」「怒っている」の五つ感情について、ルックアップテーブルや画像処理により、「明暗」、「コントラスト」、「色バランス」、「彩度」、「輪郭強調／ぼかし」を変化させる際の一例を示す図である。
前記した感情データや感情反映パラメータは、データベース１０７に蓄積される。この場合、撮影者が設定した感情選択スイッチＳＷが「嬉しい」の場合は、「嬉しい」の項目に、感情データと感情反映パラメータと感情基本データと環境データが、撮影者別に蓄積される。
【００２８】
なお、図１において、データベース１０７に蓄積する内容は、前記４種類のデータを全て蓄積する必要はなく、例えば感情反映パラメータだけでもよい。
また、撮影者別に蓄積するため、撮像装置１００は、撮影者を特定するスイッチ（図示せず）や、液晶画面に撮影者を特定する画面を表示して液晶画面上で撮影者を特定する手段（図示せず）等を備えている。
【００２９】
これによって、撮影者別に、「嬉しい」「悲しい」「楽しい」「怒っている」「おびえている」「寒い」「暑い」「心地よい」「苦しい」「めげている」等の感情を示す前述のデータをデータベース１０７に蓄積することができる。
なお、前記した例では、「嬉しい」等の感情に、「どれくらい嬉しいのか」ということを表す「感情レベル」（最高に嬉しい、大変嬉しい、嬉しい、嬉しい、少し嬉しい等）を設けていなかった。しかし、感情選択スイッチＳＷに５段階程度の感情レベルを設け、撮影者が「撮影者」と「感情」と「感情レベル」を設定することにより、撮影者別、感情別、感情レベル別のデータベース１０７を構築することができる。なお、感情レベルの段階数は任意でよい。
【００３０】
撮影者がデータベース１０７に自己の感情データ等を十分に蓄積し、それらの平均値が求められた場合には、感情選択スイッチＳＷを設定しなくても、グリップ温度センサＳ１と、グリップ湿度センサＳ２と、グリップ圧力センサＳ３と、外気温度センサＳ４と、外気湿度センサＳ５と、位置センサ（例えば、ＧＰＳ）Ｓ６の各出力から、ＣＰＵ１０４がデータベース１０７における各蓄積値の各平均値を参照することにより、感情を十分に反映した画像を液晶画面に表示することが可能になる。
【００３１】
なお、ＣＰＵ１０４は、画像に表れる撮影者の感情が撮影者自身の感覚と異なるとき、感情反映パラメータを多少変化させることにより、感情表現が微妙に異なる複数の画像を液晶画面に順次又は同時に表示させる。これによって、撮影者が気に入った画像を選択することが可能になる。また、選択された画像の感情反映パラメータ等をデータベース１０７に格納する。これによって、データベース１０７に蓄積されるデータの精度が向上し、感情表現をより正確に行うことができる。
【００３２】
さらに、データベース１０７には、あらかじめ一般人の標準的な感情反映パラメータ等格納しておき、感情選択スイッチＳＷの設定に応じて、感情反映パラメータ等を読み出し、感情を反映する画像処理を行うようにしてもよい。
また、ＣＰＵ１０４は、撮影者の感情を反映していない元の画像データと、感情基本データと、環境データと、感情データと、環境反映パラメータとを、メモリカード１０５に格納する。このとき、感情基本データと、環境データと、感情データと、環境反映パラメータは、画像データの付加データとして、同一ファイルとしてメモリカード１０５に格納される。
【００３３】
さらに、ＣＰＵ１０４は、撮影者の感情を反映していない元の画像データと、感情基本データと、環境データと、感情データと、環境反映パラメータとを、通信部１０６を介して、図２に示す画像再生装置２００、及び図３に示す画像鑑賞室、及び図４に示すデータ蓄積／解析装置４００に送信する。通信手段としては、インターネット、無線等、如何なるものでもよい。
【００３４】
なお、前記した例では、撮影者の感情を反映していない元の画像データをメモリカード１０５に格納し、通信部１０６から送信した。しかし、本発明はこれに限定されるものではない。すなわち、撮影者の感情を反映した画像データをメモリカード１０５に格納し、通信部１０６から送信してもよい。この場合においても、感情データ等を画像データの付加データとし、同一ファイルの構成とする。さらに、撮影者の感情を反映していない元の画像データと反映している画像データの両方を各々メモリカード１０５に格納し、通信部１０６から送信してもよい。
【００３５】
次に、図２に示す画像再生装置２００について説明する。画像再生装置２００は、図１に示す撮像装置１００で撮像した画像を再生するものであり、モニタ２０１と画像調整部２０２と記録部２０３とＣＰＵ２０４とカードリーダ２０５と通信部２０６とから構成されている。具体的には、パーソナルコンピュータ等が該当する。
ここで、請求項に記載する感情反映手段は、画像調整部２０２とＣＰＵ２０４に対応する。
【００３６】
ＣＰＵ２０４は、撮影者が図１に示すメモリカード１０５をカードリーダ２０５にセットすると、その内容を読み取る指示を出す。同様に、ＣＰＵ２０４は、図１に示す通信部１０６から送信される画像データと付加データを受信するように指示し、通信部２０６が受信して、その内容を読み取る。
ＣＰＵ２０４は、撮像装置１００から受け取った画像データが感情を反映している画像データの場合、モニタ２０１に、撮影者の感情を反映した画像をそのまま表示する。
【００３７】
また、ＣＰＵ２０４は、撮像装置１００から受け取った画像データが感情を反映していない元の画像データの場合、付加データを参照し、画像調整部２０２に対して、画像に撮影者の感情を反映するように指示する。その結果、モニタ２０１は、撮影者の感情を反映した画像を表示する。
また、ＣＰＵ２０４は、感情反映パラメータを多少変化させることにより、感情表現が微妙に異なる複数の画像をモニタ２０１に順次又は同時に表示させることもできる。これによって、撮影者が気に入った画像を選択することが可能になる。そして、その時選択した画像の感情反映パラメータ等を通信部２０６から撮像装置１００に送信し、撮像装置１００のデータベース１０７に格納する。これによって、データベース１０７に蓄積されるデータの精度が向上し、感情表現をより正確に行うことが可能になる。
【００３８】
なお、画像再生装置２００は、感情表現モードと一般モードが設定可能であり、一般モードが設定されている場合には、感情の処理を行わずに、元の画像をそのまま表示する。
また、環境データは、前記したように、感情基本データを補正して感情データを得るために用いられる。しかし、感情データや感情基本データを採用することなく、環境データだけを用いて環境反映パラメータを求め、画像調整部２０２で調整を行い、環境データだけを画像に反映させてもよい。この画像処理は、撮像装置１００においても、適用することができる。
【００３９】
なお、記録部２０３は、ＣＰＵ２０４の指令により、カードリーダ２０５や通信部２０６を介して送られた画像データ及びその付加データ（１ファイル）を記録するとともに、モニタ２０１に表示された画像を記録する。
次に、図３に示す画像鑑賞室３００について説明する。画像鑑賞室３００は、画像を再生する際、室内環境を撮影環境に近い状態に設定し、画像を再生するものである。
【００４０】
図３に示すように、画像鑑賞室３００は、モニタ３０１と温湿度調整部３０２と画像調整部３０３とエアコン３０４とＣＰＵ３０５とカードリーダ３０６と通信部３０７と操作部３０８と記録部３０９とから構成されている。ここで、請求項に記載する感情反映手段は、画像調整部３０３とＣＰＵ３０２が対応する。また、請求項に記載する空調手段は、エアコン３０４が対応する。
【００４１】
モニタ３０１と画像調整部３０３とカードリーダ３０６と通信部３０７と記録部３０９の動作は、前記した画像再生装置２００のモニタ２０１と画像調整部２０２とカードリーダ２０５と通信部２０６と記録部２０３と同様であるので、その説明を省略する。
画像鑑賞室３００は、操作部３０８からの指示に応じて、カードリーダ３０６から取得したり、通信部３０７で受信した環境データを用いて、画像鑑賞室３００内の温度と湿度を、それぞれ撮影時の温度と湿度に設定する。これにより、撮影時と近い環境において、撮影者の感情を反映した画像を鑑賞するものである。
【００４２】
これを実現するため、画像鑑賞室３００のＣＰＵ３０５は、環境データの内の外気温度のデータと外気湿度のデータとを温湿度調整部３０２へ出力する。温湿度調整部３０２は、エアコン３０４において、温度と湿度を前記した撮影時の温度と湿度に設定する。これにより、画像の鑑賞者は、感情表現された画像を撮影時の環境において鑑賞することができる。
【００４３】
また、図示するように、エアコン３０４自身が通信部（インターネット、無線等）を備える構成にすれば、撮像装置１００から送信される環境データをエアコン３０４自身が受信し、画像鑑賞室３００内の温度と湿度を、それぞれ撮影時の温度と湿度に設定し、撮影時と近い環境において、撮影者の感情を反映した画像を鑑賞することができる。
次に、図４に示すデータ蓄積／解析装置４００について説明する。データ蓄積／解析装置４００は、通信部４０１とＣＰＵ４０２と個人別データベース４０３と解析ツール４０４とから構成されている。
【００４４】
ＣＰＵ４０２は、通信部４０１が撮像装置１００から送信されるデータを受信したことを確認すると、個人別データベース４０３に個人別に受信データを蓄積して行く。これにより、データ蓄積／解析装置４００は、個人別データを大量に蓄積する。
データ蓄積／解析装置４００の通信部４０１は、撮像装置１００の通信部１０６に対して、解析ツール４０４を用いて解析された個人別データ（感情反映パラメータ等）の各平均値を送信する。撮像装置１００は、送信された個人別データの各平均値を受信し、撮影時に前述の各平均値を用いて感情を自動把握する。したがって、撮像装置１００は、感情選択スイッチＳＷの設定に応じ、各種の感情とその感情レベル（段階数）を個人別に正確に把握することが可能になる。したがって、撮影者個人の撮影時における感情が適切に反映された画像を得ることができる。なお、個人別データの各平均値だけではなく、所定の重み付けを持たせた値でもよい。
【００４５】
また、データ蓄積／解析装置４００が多数の撮像装置１００から膨大の量のデータを受信するので、標準的な感情が反映された画像を得ることができる。すなわち、解析ツール４０４は、これらの膨大なデータを解析して、一般人の標準的な感情データや感情反映パラメータ等を求める。次に、データ蓄積／解析装置４００から一般人の標準的な感情データや感情反映パラメータ等を撮像装置１００に送信し、撮像装置１００のデータベース１０７に格納する。これによって、撮像装置１００は、感情選択スイッチＳＷを設定するだけで、一般の撮影者の平均的感情を画像に反映することが可能になる。
【００４６】
また、データ蓄積／解析装置４００が多数の撮像装置１００からデータを受信して蓄積するため、各撮像装置１００のデータベース１０７は感情データ等を蓄積する必要が無くなる。これにより、各撮像装置１００が多大のデータを格納しておく必要が無くなり、データベース１０７の容量を小さくすることができる。
また、撮像装置１００を買い替えるとき、データ蓄積／解析装置４００内に蓄積された個人別データの各平均値を新しい撮像装置１００に送信することにより、新しい撮像装置１００では感情データ等の新たな蓄積が不要になる。
＜第２の実施形態＞
次に、本発明の第２の実施形態について説明する。第２の実施形態は請求項１６〜１８に対応する。
【００４７】
図６は、本発明の第２の実施形態を示すブロック図である。第１の実施形態と第２の実施形態の相違点は、第１の実施形態では撮像装置１００の撮像素子１０２としてデジタルカメラ等に用いられるＣＣＤやＣＭＯＳを用いたが（図１参照）、第２の実施形態では図６に示すように、撮像装置として銀塩カメラ５００を用いている点である。具体的には、銀塩カメラ５００は、撮像レンズ５０１とフィルム５０２を備えている。なお、図６に示す第２の実施形態において、図１に示す第１の実施形態と同一部分には同一符号を付して、その説明を省略する。なお、図６は、請求項１６に対応する。
【００４８】
撮影者は、撮影時に感情選択スイッチＳＷを、「嬉しい」「悲しい」「楽しい」「怒っている」等のいずれか一つに設定し、レリーズボタン（図示せず）を押下する。これにより、被写体の画像がフィルム５０２上に撮像される。
ＣＰＵ１０４は、レリーズボタンの押下に応じて、グリップ温度センサＳ１とグリップ湿度センサＳ２とグリップ圧力センサＳ３から得られる撮影時における感情基本データと、外気温度センサＳ４と外気湿度センサＳ５と位置センサＳ６とから得られる撮影時における環境データとを取得する。ＣＰＵ１０４は、取得した各データをメモリカード１０５に格納する。メモリカード１０５へのデータ格納は、第１の実施形態と同様に個人別に行われる。
【００４９】
ここで、請求項に記載する感情検出手段は、グリップ温度センサＳ１とグリップ湿度センサＳ２とグリップ圧力センサＳ３と外気温度センサＳ４と外気湿度センサＳ５と位置センサＳ６が対応する。
以下、図７、図８、図１０に示すフローチャートにしたがって、感情を反映した画像を得るための処理について説明する。なお、感情を反映した画像を得るため、フィルム５０２に写っている画像をスキャナで読み取ることが必要になる。
【００５０】
図７は、第１の処理例を示すフローチャートである。第１の処理例は、請求項１７に対応する。
ステップＳ１０において、フィルム５０２とメモリカード１０５の取り出しを行う。
ステップＳ１１において、フィルム５０２の現像処理を行う。
ステップＳ１２において、スキャナに設けられたカードリーダを用いて、メモリカード１０５内に格納された各データを読み出す。そして、読み出した各データを感情反映パラメータに変換し、感情反映パラメータに応じてスキャナの読み取り条件を変更する。こうして、感情を反映させた画像を取り込む。
【００５１】
ステップＳ１３において、図２に示す画像再生装置（パーソナルコンピュータ等）２００は、感情を反映した画像データを受け取ってモニタ２０１に表示する。同時に、画像再生装置２００は、感情反映パラメータを記録部２０３に格納する。
第２の処理例は、スキャナにおいて感情を反映させる画像読み取りを行い、画像再生装置（パーソナルコンピュータ等）２００において感情を反映した画像を再生することに特徴がある。
【００５２】
図８は、第１の処理例において、スキャナによる読み取りに際し、「嬉しい」「悲しい」「寒い」「寂しい」の各感情に対して、スキャナの照明光光量（Ｂ色分解時、Ｇ色分解時、Ｒ色分解時）の調整例を示す図である。図９に示すように、Ｂ色、Ｇ色、Ｒ色の各々について、短波長（Ｂ１、Ｇ１、Ｒ１）、中心波長（Ｂ２、Ｇ２、Ｒ２）、長波長（Ｂ３、Ｇ３、Ｒ３）を用意し、その発光比率を変えることによって、読み取り画像に感情を反映させることが可能になる。
【００５３】
図９は、第２の処理例を示すフローチャートである。第２の処理例は、請求項１８に対応する。
ステップＳ２０において、フィルム５０２とメモリカード１０５の取り出しを行う。
ステップＳ２１において、フィルム５０２の現像処理を行う。
ステップＳ２２において、スキャナに設けられたカードリーダを用いて、メモリカード１０５内に格納された各データを読み出す。そして、スキャナが、前述の各データを感情反映パラメータに変換する。このとき、スキャナは、フィルム画像を普通に読み取る。
【００５４】
ステップＳ２３において、図２に示す画像再生装置（パーソナルコンピュータ等）２００は、感情を反映していない画像データと感情反映パラメータをスキャナから受け取る。画像再生装置（パーソナルコンピュータ等）２００は、感情反映パラメータを用いて画像調整し、感情を反映した画像をモニタ２０１に表示する。同時に、画像再生装置２００は、感情反映パラメータを記録部２０３に格納する。
【００５５】
第２の処理例は、スキャナでは通常の画像読み取りを行うと同時に、スキャナにおいて感情反映パラメータを作る。そして、画像再生装置（パーソナルコンピュータ等）２００において、感情を反映した画像を再生することに特徴がある。
図１０は、第３の処理例を示すフローチャートである。
ステップＳ３０において、フィルム５０２とメモリカード１０５の取り出しを行う。
【００５６】
ステップＳ３１において、フィルム５０２の現像処理を行う。
ステップＳ３２において、フィルム画像をスキャナで普通に読み取り、読み取った画像を図２に示す画像再生装置２００（パーソナルコンピュータ等）に送る。
ステップＳ３３において、メモリカード１０５を図２に示す画像再生装置２００のカードリーダ２０５にセットし、メモリカード１０５内に格納された各データを読み出す。画像再生装置２００は、読み出した各データを感情反映パラメータに変換し、スキャナからの画像に感情を付加する画像処理を行う。これによって、撮影者の感情を反映した画像がモニタ２０１（図２参照）に表示される。
【００５７】
第３の処理例は、スキャナでは通常の手順で読み取りを行い、画像再生装置（パーソナルコンピュータ等）２００において、画像処理を行い、感情を反映した画像を再生することに特徴がある。
なお、銀塩カメラ５００のＣＰＵ１０４が、環境データを画像鑑賞室３００（図３参照）にメモリカード１０５や通信部（図示せず）を介して送ることにより、操作者（撮影者）は撮像時の環境において撮影時の感情を反映した画像を鑑賞することが可能になる。
【００５８】
また、前記したように、感情データや感情基本データを採用することなく、環境データだけを用いて環境反映パラメータを求め、画像調整部２０２、３０３（図２、図３参照）で調整を行い、環境データだけを画像に反映させてもよい。
また、画像に現れる撮影者の感情が撮影者自身の感覚と異なるとき、感情反映パラメータを多少変化させることにより、感情表現が微妙に異なる複数の画像をモニタ３０１に順次又は同時に表示させる。これによって、撮影者が気に入った画像を選択することが可能になる。また、選択された画像の感情反映パラメータ等をデータベース４０３に格納する。これによって、データベース４０３に蓄積されるデータの精度が向上し、以後の感情表現をより正確に行うことができる。
【００５９】
また、銀塩カメラ５００のＣＰＵ１０４が取得した、感情基本データ、感情データ、環境データ、感情反映パラメータを、第１の実施形態と同様に、データ蓄積／解析装置４００の個人別データベース４０３（図４参照）に蓄積することにより、一般人の標準的な感情反映パラメータ等の平均値を得ることができる。また、これを、銀塩カメラ５００のデータベース１０７に格納することにより、第１の実施形態と同様に、感情を反映する精度を向上することができる。
【００６０】
以上の説明から明らかなように、第２に実施形態によれば、銀塩カメラ５００を撮像装置として用いる場合においても、撮影者の感情を反映した画像を得ることができる。
なお、本発明は、被写体の感情を画像に反映させる場合にも、応用することができる。
【産業上の利用可能性】
【００６１】
本発明は、撮像装置、画像再生装置、画像鑑賞室、データ蓄積／解析装置等の画像処理を行う分野において、産業上大いに利用することができる。
【図面の簡単な説明】
【００６２】
【図１】第１の実施形態における撮像装置の例を示すブロック図である。
【図２】第１の実施形態における画像再生装置の例を示すブロック図である。
【図３】第１の実施形態における画像鑑賞室の例を示すブロック図である。
【図４】第１の実施形態におけるデータ蓄積／解析装置の例を示すブロック図である。
【図５】五つの感情について、明暗、コントラスト、色バランス、彩度、輪郭強調／ぼかしを各々変化させた場合の一例を示す図である。
【図６】本発明の第２の実施形態を示すブロック図である。
【図７】第２の実施形態における第１の処理例を示すフローチャートである。
【図８】スキャナによる読み取りに際し、各感情に対するスキャナの照明光光量（Ｂ色分解時、Ｇ色分解時、Ｒ色分解時）の調整例を示す図である。
【図９】第２の実施形態における第２の処理例を示すフローチャートである。
【図１０】第２の実施形態における第３の処理例を示すフローチャートである。
【符号の説明】
【００６３】
１００  撮像装置
１０１  撮像レンズ
１０２  撮像部
１０３  Ａ／Ｄ変換部
１０４  ＣＰＵ
１０５  メモリカード
１０６  通信部
１０７  データベース
２００  画像再生装置
２０１  モニタ
２０２  画像調整部
２０３  記録部
２０４  ＣＰＵ
２０５  カードリーダ
２０６  通信部
３００  画像鑑賞室
３０１  モニタ
３０２  温湿度調整部
３０３  画像調整部
３０４  エアコン
３０５  ＣＰＵ
３０６  カードリーダ
３０７  通信部
３０８  操作部
３０９  記録部
４００  データ蓄積／解析装置
４０１  通信部
４０２  ＣＰＵ
４０３  個人別データベース
４０４  解析ツール
５００  銀塩カメラ
５０１  撮像レンズ
５０２  フィルム
ＳＷ  感情選択スイッチ
Ｓ１  グリップ温度センサ
Ｓ２  グリップ湿度センサ
Ｓ３  グリップ圧力センサ
Ｓ４  外気温度センサ
Ｓ５  外気湿度センサ
Ｓ６  位置センサ
【図１】
2005250977.tif 000003
【図２】
2005250977.tif 000004
【図３】
2005250977.tif 000005
【図４】
2005250977.tif 000006
【図５】
2005250977.tif 000007
【図６】
2005250977.tif 000008
【図７】
2005250977.tif 000009
【図８】
2005250977.tif 000010
【図９】
2005250977.tif 000011
【図１０】
2005250977.tif 000012